(57)【特許請求の範囲】
【請求項１】
ハンドル部と、少なくとも一つのヘッド部と、固定顎と、を備え、前記ヘッド部が前記ハンドル部の一端に連接され、前記固定顎が前記ヘッド部から延びる本体と、
少なくとも一つの結合アームと、自在顎と、を備え、前記結合アームが前記ヘッド部に当接しており、これにより、前記自在顎と前記固定顎とから開口が形成される工作部と、
スライド溝と、スライド部と、を備え、前記スライド溝が前記ヘッド部と前記結合アームのうちの一つに形成され、前記スライド部が前記ヘッド部と前記結合アームのうちの残りに固定され、前記スライド部が前記スライド溝に摺動可能に設けられ、これにより、前記工作部は、前記本体に対して前記スライド溝に沿って摺動可能であり、第１位置と第２位置の間に摺動でき、前記工作部が前記第１位置に移動する場合には、前記開口の幅が縮小し、前記スライド溝が円弧形を呈し、前記スライド溝の円弧中心は、前記ヘッド部の外部に位置し、前記本体の前記自在顎から遠ざかった側に位置し、前記スライド部は、円形を呈しない断面形状を有し、これにより、前記スライド溝内に回動不能であるスライド装置と、
前記本体と前記工作部の間に配され、これにより、前記工作部が前記第１位置へ付勢される弾性具と、を含むことを特徴とする爪車式オープンエンドレンチ。
【請求項２】
前記工作部は二つの結合アームを有し、二つの前記結合アームが前記ヘッド部に当接しており、前記ヘッド部が二つの前記結合アームの間に位置し、前記スライド溝が前記ヘッド部に形成されることを特徴とする、請求項１に記載の爪車式オープンエンドレンチ。
【請求項３】
前記結合アームに二つの固定穴が形成され、前記スライド部は二つのピンを含み、前記各ピンは前記スライド溝に摺動可能に設けられ、二つの前記ピンはそれぞれ前記固定穴のうちの一つに挿入されることを特徴とする、請求項２に記載の爪車式オープンエンドレンチ。
【請求項４】
前記固定顎の厚さは前記ヘッド部の厚さより大きく、これにより、前記本体に少なくとも一つの階段面が形成され、前記階段面は前記固定顎と前記ヘッド部の間に位置し、前記工作部が前記第１位置に位置しているときには、前記結合アームが前記階段面に当接することを特徴とする、請求項１に記載の爪車式オープンエンドレンチ。
【請求項５】
前記固定顎の厚さは前記ヘッド部の厚さより大きく、これにより、前記本体に少なくとも一つの階段面が形成され、前記階段面は前記固定顎と前記ヘッド部の間に位置し、前記工作部が前記第１位置に位置しているときには、前記結合アームが前記階段面に当接することを特徴とする、請求項２に記載の爪車式オープンエンドレンチ。
【請求項６】
前記固定顎の厚さは前記ヘッド部の厚さより大きく、これにより、前記本体に少なくとも一つの階段面が形成され、前記階段面は前記固定顎と前記ヘッド部の間に位置し、前記工作部が前記第１位置に位置しているときには、前記結合アームが前記階段面に当接することを特徴とする、請求項３に記載の爪車式オープンエンドレンチ。
【請求項７】
前記固定顎と前記自在顎とには、溝がそれぞれ形成され、二つの前記溝は、互いに対向しており、多辺形の断面形状を有するロッドの角部を挟み可能であることを特徴とする、請求項１に記載の爪車式オープンエンドレンチ。
【請求項８】
前記開口は前記結合アームに近接する底端を有し、前記自在顎の前記溝と前記底端の距離は、前記固定顎の前記溝と前記底端の距離より長く、これにより、二つの前記溝の位置は互いに対称しないことを特徴とする、請求項７に記載の爪車式オープンエンドレンチ。
【請求項９】
前記開口は幅方向を規定し、前記工作部が前記第１位置に位置しているときには、前記開口が締結具を挟み可能であり、前記工作部と前記固定顎及び前記ヘッド部との最も遠く離れる両側の距離を初期幅とし、前記工作部が前記第２位置に移動して前記締結具が前記開口内に回転自在となるときには、前記工作部と前記固定顎及び前記ヘッド部との最も遠く離れる両側の距離を最大幅とし、前記最大幅と前記初期幅の差は前記初期幅の１０％より小さいことを特徴とする、請求項１に記載の爪車式オープンエンドレンチ。
【発明の詳細な説明】
【技術分野】
【０００１】
本発明は、オープンエンドレンチに関し、特に爪車式オープンエンドレンチに関するものである。
【背景技術】
【０００２】
従来の爪車式オープンエンドレンチとしては、例えば特許文献１に記載の発明が提案された。この爪車式オープンエンドレンチは、オープンエンドレンチに固定顎と摺動可能な自在顎とが設けられ、更に、弾性具が設けられ、これにより、ユーザが爪車式オープンエンドレンチを往復に旋回しているときに、前記自在顎が前記固定顎に対して摺動して開閉して、締結具を一方向だけに回転でき、締結具をねじ込み、又は緩めることができ、利用が極めて利便である。
【０００３】
しかし、このような爪車式オープンエンドレンチは、狭い作業環境での利用が不便である。前記自在顎の移動方向は、単純に前記固定顎から離れ、更に、爪車式オープンエンドレンチのハンドル部から離れるため、前記自在顎の移動距離が大きくないと前記締結具を解放できない。この結果、このような爪車式オープンエンドレンチは、狭い作業環境で利用される場合に、前記自在顎が別の障害物に阻まれやすく、ひいては締結具を解放できず、このように、締結具を一方向だけに回転できなくなる。
【０００４】
上記の課題を解決するために、特許文献２、特許文献３及び特許文献４などに記載の発明が提案された。これらの提案により、狭い作業環境でオープンエンドレンチを利用できると共に、オープンエンドレンチを往復に旋回できる。なお、特許文献２に記載の発明は、特許文献４に記載の発明に類似し、ピンと円弧形を呈する定位穴とにより、自在顎が摺動できると共に、前記自在顎の円弧形を呈する表面により、前記自在顎の摺動経路が規制され、前記自在顎の任意な回動を防止できる。特許文献３に記載の発明は、ピンと直線状を呈する定位穴とにより、自在顎が摺動できると共に、前記自在顎と固定顎との円弧形を呈するエッジの互いの当接により、前記自在顎の摺動経路が規制され、前記自在顎の任意な回動を防止できる。上記の何れかのオープンエンドレンチは、狭い作業環境で利用できるため、消費者に愛用される。
【０００５】
しかし、上記のオープンエンドレンチは、作製が困難であり、すなわち、部品を特別な造形に成形することが必要であり、特に、その溝が円弧形を呈する表面を有し、これらの表面により、自在顎を予定の経路に保持できるが、これらの前記表面は加工し難い。例えば特許文献４に記載のレンチは、その開口の内側に円弧形を呈する表面が必要であり、フライスなどの加工工具を前記開口に進入できないため、加工作業は難い。
【０００６】
このようなレンチを作製するために、精密鋳造を採用することが必要であるが、精密鋳造によりレンチの部品を作製する場合には、構造強度及び表面精度が降下する。構造強度が低下すると、レンチが破壊されやすく、そして表面精度が低下すると、自在顎をスムーズに移動できない。一方、精密鋳造を採用すると、生産コストが増加する。
【先行技術文献】
【特許文献】
【０００７】
【特許文献１】米国特許第４，６３７，２８４号公報
【特許文献２】米国特許第５，２８７，７７７号公報
【特許文献３】米国特許第５，５８２，０８２号公報
【特許文献４】米国特許第７，８２７，８８７号公報
【発明の概要】
【発明が解決しようとする課題】
【０００８】
そこで、本発明の主な目的は、狭い作業環境で利用でき、容易に作製できる爪車式オープンエンドレンチを提供することにある。
【課題を解決するための手段】
【０００９】
本発明の爪車式オープンエンドレンチによると、ハンドル部と、少なくとも一つのヘッド部と、固定顎と、を備え、ヘッド部がハンドル部の一端に連接され、固定顎がヘッド部から延びる本体と、少なくとも一つの結合アームと、自在顎と、を備え、結合アームがヘッド部に当接しており、これにより、自在顎と固定顎とから開口が形成される工作部と、スライド溝と、スライド部と、を備え、スライド溝がヘッド部と結合アームのうちの一つに形成され、スライド部がヘッド部と結合アームのうちの残りに固定され、スライド部がスライド溝に摺動可能に設けられ、これにより、工作部は、本体に対してスライド溝に沿って摺動可能であり、第１位置と第２位置の間に摺動でき、工作部が第１位置に移動する場合には、開口の幅が縮小し、スライド溝が円弧形を呈し、スライド溝の円弧中心は、ヘッド部の外部に位置し、本体の自在顎から遠ざかった側に位置し、スライド部は、円形を呈しない断面形状を有し、これにより、スライド溝内に回動不能であるスライド装置と、本体と工作部の間に配され、これにより、工作部が第１位置へ付勢される弾性具と、を含むことを特徴とする。
【００１０】
本発明の爪車式オープンエンドレンチによると、工作部は二つの結合アームを有し、二つの結合アームがヘッド部に当接しており、ヘッド部が二つの結合アームの間に位置し、スライド溝がヘッド部に形成されることを特徴とする。
【００１１】
本発明の爪車式オープンエンドレンチによると、結合アームに二つの固定穴が形成され、スライド部は二つのピンを含み、各ピンはスライド溝に摺動可能に設けられ、二つのピンはそれぞれ固定穴のうちの一つに挿入されることを特徴とする。
【００１２】
本発明の爪車式オープンエンドレンチによると、固定顎の厚さはヘッド部の厚さよりも大きく、これにより、本体に少なくとも一つの階段面が形成され、階段面は固定顎とヘッド部の間に位置し、工作部が第１位置に位置しているときには、結合アームが階段面に当接することを特徴とする。
【００１３】
本発明の爪車式オープンエンドレンチによると、固定顎の厚さはヘッド部の厚さよりも大きく、これにより、本体に少なくとも一つの階段面が形成され、階段面は固定顎とヘッド部の間に位置し、工作部が第１位置に位置しているときには、結合アームが階段面に当接することを特徴とする。
【００１４】
本発明の爪車式オープンエンドレンチによると、固定顎の厚さはヘッド部の厚さよりも大きく、これにより、本体に少なくとも一つの階段面が形成され、階段面は固定顎とヘッド部の間に位置し、工作部が第１位置に位置しているときには、結合アームが階段面に当接することを特徴とする。
【００１５】
本発明の爪車式オープンエンドレンチによると、固定顎と自在顎とには、溝がそれぞれ形成され、二つの溝は、互いに対向しており、多辺形の断面形状を有するロッドの角部を挟み可能であることを特徴とする。
【００１６】
本発明の爪車式オープンエンドレンチによると、開口は結合アームに近接する底端を有し、自在顎の溝と底端の距離は、固定顎の溝と底端の距離よりも長く、これにより、二つの溝の位置は互いに対称しないことを特徴とする。
【００１７】
本発明の爪車式オープンエンドレンチによると、開口は幅方向を規定し、工作部が第１位置に位置しているときには、開口が締結具を挟み可能であり、工作部と固定顎及びヘッド部との最も遠く離れる両側の距離を初期幅とし、工作部が第２位置に移動して締結具が開口内に回転自在となるときには、工作部と固定顎及びヘッド部との最も遠く離れる両側の距離を最大幅とし、最大幅と初期幅の差は初期幅の１０％よりも小さいことを特徴とする。
【発明の効果】
【００１８】
本発明の爪車式オープンエンドレンチによれば、構成が簡潔であり、各部品の構造が各種類の加工方法によって容易に作製でき、特に、円弧形を呈する当接面を必要せず、円弧形を呈するスライド溝を成形することだけが必要であり、前記スライド溝はヘッド部を貫通してもよいため、メーカーは、適合の加工方法を採用して部品を作製でき、部品の精度及び生産コストを容易にコントロールすることができ、そして例えばプレス加工や切削加工によって強度がより高い部品を作製でき、ひいては製品全体の構造強度を増加できるという効果を有する。
【図面の簡単な説明】
【００１９】
【図１】本発明の実施例１を示す斜視図である。
【図２】本発明の実施例１を示す分解斜視図である。
【図３】本発明の実施例１を示す側面図である。
【図４】本発明の実施例１を示す正面図である。
【図５】本発明の実施例１の動作を示す模式図である。
【図６】本発明の実施例２を示す分解斜視図である。
【図７】本発明の実施例２を示す側面図である。
【図８】本発明の実施例２を示す正面図である。
【図９】本発明の実施例２の動作を示す模式図である。
【図１０】本発明の実施例３を示す正面図である。
【図１１】本発明の実施例４を示す正面図である。
【発明を実施するための形態】
【００２０】
以下、本発明の実施の形態を図面に基づいて説明する。
【実施例１】
【００２１】
図１乃至図４を参照する。図１は本発明の実施例１を示す斜視図であり、図２は本発明の実施例１を示す分解斜視図であり、図３は本発明の実施例１を示す側面図であり、図４は本発明の実施例１を示す正面図である。本実施例の爪車式オープンエンドレンチは、開口を有し、前記開口によりボルトやナットなどの締結具を挟んで往復に旋回でき、これにより、前記締結具を一方向だけに回転でき、前記締結具をねじ込み、又は緩めることができる。本実施例の爪車式オープンエンドレンチは、本体１と、工作部２と、スライド装置３と、弾性具４と、を含む。
【００２２】
本体１は、ハンドル部１１と、ヘッド部１２と、固定顎１３と、を備える。ヘッド部１２はハンドル部１１の一端に連接される。固定顎１３はヘッド部１２から延びる。このように、ヘッド部１２はハンドル部１１と固定顎１３を連接する。本実施例の爪車式オープンエンドレンチの握り又は収納を容易にするために、ハンドル部１１のヘッド部１２から遠ざかった一端には、組付ハンドル、又は吊り穴が設けられる。本体１の固定顎１３には、更に、溝１３１が形成される。本体１のヘッド部１２に穴１２１が設けられる。固定顎１３の厚さはヘッド部１２の厚さよりも大きいでもよい。これにより、本体１の一面又は両面に階段面が形成される。前記階段面は固定顎１３とヘッド部１２の間に位置する。
【００２３】
工作部２は、図２及び図３に示すように、二つの結合アーム２１と、自在顎２２と、を備える。二つの結合アーム２１はヘッド部１２に当接しており、これにより、ヘッド部１２が二つの結合アーム２１の間に位置する。自在顎２２が二つの結合アーム２１の一側に連接されることにより、自在顎２２と固定顎１３とから開口が形成される。工作部２の自在顎２２には、更に、溝２２１が形成され、これにより、自在顎２２の溝２２１と固定顎１３の溝１３１は、図４に示すように、互いに対向しており、締結具５の多辺形の断面形状を有するヘッド部の角部を挟み可能である。二つの結合アーム２１に固定穴２１１がそれぞれ形成されている。
【００２４】
本実施例では、工作部２が二つの結合アーム２１を有し、二つの結合アーム２１によりヘッド部１２を挟むことができるため、外部のホコリや屑のヘッド部１２への侵入を防止できる。しかし、工作部は一つの結合アームを有してもよく、或いは本体に二つのヘッド部が成形され、結合アームが二つの前記ヘッド部に挟まれてもよい。
【００２５】
スライド装置３は、スライド溝３１と、スライド部と、を備える。スライド溝３１がヘッド部１２に形成され、前記スライド部が結合アーム２１に固定される。具体的には、前記スライド部は、スライドブロック３２１と、固定ピン３２２と、を含む。スライドブロック３２１はスライド溝３１に摺動可能に設けられる。スライドブロック３２１に穿孔３２３が形成される。固定ピン３２２は、穿孔３２３を挿通して、工作部２の結合アーム２１の固定穴２１１に挿入する。このように、前記スライド部がスライド溝３１に摺動可能に設けられ、工作部２は、本体１に対してスライド溝３１に沿って摺動可能である。スライドブロック３２１が円弧状に延び、前記スライド部が円形の断面形状を有しないため、前記スライド部はスライド溝３１内に回動不能である。特に、固定ピン３２２がスライドブロック３２１と工作部２の結合アーム２１とに固定されるため、工作部２はスライドブロック３２１に対して回動不能である。また、穿孔３２３、固定ピン３２２及び固定穴２１１の断面形状は円形を呈しないことが好ましい。スライド溝３１は円弧形を呈し、スライド溝３１の円弧中心３１１は、図４に示すように、ヘッド部の外部に位置し、本体１の自在顎２２から遠ざかった側に位置する。このように、工作部２及び自在顎２２がスライド溝３１に沿って移動するときには、前記開口の幅を変化できる。
【００２６】
弾性具４は、本体１と工作部２の間に配される。具体的には、弾性具４は、ヘッド部１２の穴１２１に収容され、工作部２に押付ける。
【００２７】
図４及び図５を参照する。前記スライド部は、スライド溝３１に沿って摺動可能であり、工作部２の結合アーム２１に固定されるため、工作部２は、前記スライド部と共にスライドし、第１位置と第２位置の間に摺動可能である。図４に示すように、前記開口は幅方向を規定し、工作部２が前記第１位置に位置しているときには、前記開口が締結具５又は締結具５に類似するものを挟み可能であり、工作部２と固定顎１３及びヘッド部１２との最も遠く離れる両側の距離を初期幅Ｄｏとする。図５に示すように、工作部２が前記第２位置に移動して締結具５が前記開口内に回転自在となるときには、工作部２と固定顎１３及びヘッド部１２との最も遠く離れる両側の距離を最大幅Ｄｍとする。本発明では、最大幅Ｄｍと初期幅Ｄｏの差は初期幅Ｄｏの１０％よりも小さい。このように、本実施例の爪車式オープンエンドレンチによって締結具５を回転する場合には、工作部２を両側に過度に摺動することが必要なく締結具５を一方向だけに回転でき、そして狭い作業環境で利用することもできる。
【００２８】
図４に示すように、弾性具４が工作部２に押付けるため、工作部２が前記第１位置へ付勢される。このように、外力を受けているときに、工作部２が前記第１位置に移動するため、結合アーム２１が前記階段面に押付けて、工作部２、固定顎１３及びヘッド部１２の間の幅が初期幅Ｄｏに戻る。
【００２９】
本実施例では、スライド溝３１がヘッド部１２に形成され、スライド部が結合アーム２１に固定されるが、スライド溝が結合アームに形成され、スライド部がヘッド部１２に固定されてもよい。この場合には、固定穴は、結合アームに設けられず、ヘッド部に設けられる。このように、ヘッド部にスライド部を組付けることができる。もちろん、別の方式により、ヘッド部にスライド部を組付けてもよい。
【実施例２】
【００３０】
図６乃至図８を参照する。図６は本発明の実施例２を示す分解斜視図であり、図７は本発明の実施例２を示す側面図であり、図８は本発明の実施例２を示す正面図である。本実施例の構成は、実施例１とほぼ同じであるが、スライド部の代りに二つのピン３２４が採用され、工作部の各結合アーム２１に二つの固定穴２１１が形成される。各ピン３２４は、スライド溝３１に摺動可能に設けられ、それぞれ固定穴２１１に挿入される。このように、工作部２は、図８及び図９に示すように、スライド溝３１に沿って第１位置と第２位置の間に摺動可能である。本実施例では、二つのピン３２４が円形の断面形状を有してもよく、二つのピン３２４がスライド部としてスライドする場合には、前記スライド部全体がスライド溝３１内に回動不能である。なお、各ピン３２４が、スライド溝３１内に回動できるか、又は工作部２に対して回動できるかは、特に限定しなくてもよい。本実施例の爪車式オープンエンドレンチは、組立作業が実施例１よりも容易である。
【実施例３】
【００３１】
図１０を参照する。図１０は本発明の実施例３を示す正面図である。本実施例の爪車式オープンエンドレンチの開口は結合アーム２１ａに近接する底端を有し、自在顎２２ａの溝２２１ａと前記底端の距離は、固定顎１３ａの溝１３１ａと前記底端の距離よりも長い。このように、溝２２１ａと溝１３１ａとの位置は互いに対称しない。これにより、本実施例の爪車式オープンエンドレンチを逆方向に旋回している場合には、締結具の角部を自在顎２２ａの溝２２１ａにもう一度嵌合するときに必要とする角度を減少できる。すなわち、本実施例の爪車式オープンエンドレンチの操作は更に容易となる。
【実施例４】
【００３２】
図１１を参照する。図１１は本発明の実施例４を示す正面図である。本実施例の爪車式オープンエンドレンチによれば、締結具の角部を更に良く保護できる。本実施例の爪車式オープンエンドレンチは、固定顎１３ｂの自由端には、レンチの開口に面する斜面１３３が設けられる。締結具５が固定顎１３ｂと自在顎２２ｂの間に挟まれているときには、固定顎１３ｂが締結具５の一つの面に当接し締結具５の何れかの角部に当接しないため、締結具５の角部が固定顎１３ｂに磨耗されない。また、固定顎１３ｂに窪み１３２が形成され、自在顎２２ｂに窪み２２２が形成され、窪み１３２、２２２が互いに対向し、固定顎１３ｂの窪み１３２は自在顎２２ｂから遠ざかった方向に凹んでおり、自在顎２２ｂの窪み２２２は固定顎１３ｂから遠ざかった方向に凹んでいる。窪み１３２、２２２により、締結具５の角部が固定顎１３ｂ及び自在顎２２ｂに磨耗されない。
【００３３】
なお、本発明は前記実施の形態に限定されるものではなく、本発明の趣旨に基づいて種々変形させることが可能であり、それらを本発明の範囲から排除するものではない。
【産業上の利用可能性】
【００３４】
本発明は、オープンエンドレンチに適用することができる。
【符号の説明】
【００３５】
Ｄｏ：初期幅
Ｄｍ：最大幅
１：本体
２：工作部
３：スライド装置
４：弾性具
５：締結具
１１：ハンドル部
１２：ヘッド部
１３、１３ａ、１３ｂ：固定顎
２１、２１ａ：結合アーム
２２、２２ａ、２２ｂ：自在顎
３１：スライド溝
１２１：穴
１３１、１３１ａ：溝
１３２：窪み
１３３：斜面
２１１：固定穴
２２１、２２１ａ：溝
２２２：窪み
３１１：円弧中心
３２１：スライドブロック
３２２：固定ピン
３２３：穿孔
３２４：ピン
【要約】
【課題】狭い作業環境で利用でき、容易に作製できる爪車式オープンエンドレンチを提供する。
【解決手段】ハンドル部１１と、少なくとも一つのヘッド部１２と、固定顎１３とを備え、ヘッド部１２がハンドル部１１の一端に連接され、固定顎１３がヘッド部１２から延びる本体１と；少なくとも一つの結合アーム２１と、自在顎２２とを備え、結合アーム２１がヘッド部１２に当接しており、これにより、自在顎２２と、固定顎１３とから開口が形成される工作部２と；スライド溝３１と、スライド部とを備え、スライド溝３１がヘッド部１２と、結合アーム２１のうちの一つに形成され、スライド部がヘッド部１２と、結合アーム２１のうちの残りに固定され、スライド部がスライド溝３１に摺動可能に設けられ、スライド部は円形を呈しない断面形状を有するスライド装置３と；本体１と工作部２の間に配され、工作部２が第１位置へ付勢される弾性具４と；を含む。
【選択図】図２【図１】
0005408637.tif 000002
【図２】
0005408637.tif 000003
【図３】
0005408637.tif 000004
【図４】
0005408637.tif 000005
【図５】
0005408637.tif 000006
【図６】
0005408637.tif 000007
【図７】
0005408637.tif 000008
【図８】
0005408637.tif 000009
【図９】
0005408637.tif 000010
【図１０】
0005408637.tif 000011
【図１１】
0005408637.tif 000012